(57)【要約】【課題】  光ファイバの先端面を安価で且つ十分に保護できる光コネクタを提供する。【解決手段】  この光コネクタは、光ファイバ３１の端部を突出状態で保持するコネクタハウジング５１を有するものであり、そのコネクタハウジング５１に光ファイバ３１の前記端部の先端面３１ｃを覆う様に傾倒自在に一体的に立設され、その傾倒状態で光ファイバ３１の先端面３１ｃを露出する保護部３３ｇを有するものである。【選択図】図１
2006098876.tif 000002
【特許請求の範囲】
【請求項１】
光ファイバの端部を突出状態で保持するコネクタハウジングを有する光コネクタであって、
前記コネクタハウジングに前記光ファイバの前記端部の先端面を覆う様に傾倒自在に一体的に立設され、その傾倒状態で前記光ファイバの前記先端面を露出する保護部を有することを特徴とする光コネクタ。
【請求項２】
前記保護部は、前記コネクタハウジングから前記光ファイバの前記端部に沿って立設した支持部の先端部分に、前記光ファイバの前記端部の先端部分における先端面側と前記支持部側と該支持部側に隣接する両側とを覆い、前記支持部側に相対する側を開放する被包部が形成されてなることを特徴とする請求項１に記載の光コネクタ。
【請求項３】
前記保護部は、前記光ファイバの前記端部を着脱自在に狭持する狭持部を有することを特徴とする請求項１または請求項２に記載の光コネクタ。
【請求項４】
前記保護部は、前記保護部を傾倒変形し易くする為のくびれ部を有することを特徴とする請求項１〜請求項３の何れかに記載の光コネクタ。
【請求項５】
前記保護部は、その傾倒状態から弾性復帰により前記光ファイバの前記先端面を覆う様に形成されることを特徴とする請求項１〜請求項４の何れかに記載の光コネクタ。
【請求項６】
前記コネクタハウジングと着脱自在に嵌合結合する相手側コネクタハウジングを有し、前記保護部の側面に傾倒用突起部が形成されると共に、前記相手側コネクタハウジングに前記傾倒用突起部をガイドするガイド部が形成され、
前記コネクタハウジングが前記相手側コネクタハウジングに嵌合されたときに、前記コネクタハウジングの前記傾倒用突起部が前記相手側コネクタハウジングの前記ガイド部に沿って移動し、この移動により前記保護部が傾倒されて前記コネクタハウジングに保持された前記光ファイバの前記先端面が露出されることを特徴とする請求項１〜請求項５の何れかに記載の光コネクタ。
【発明の詳細な説明】
【技術分野】
【０００１】
本発明は、例えば車両で用いられる通信用光コネクタに関する。
【背景技術】
【０００２】
近年では、安全性装備、低燃費装備、乗員の快適装備の充実を図るため、車両の電装機器は増加の一途である。これにより車両内での通信情報量も増大しており、その対策として、車両内で用いられる情報伝達媒体を電線から高速情報伝達媒体である光ファイバに置き換える対策が採られ始めている。
【０００３】
光ファイバの先端面に汚れや傷が付くと、光ファイバの情報伝達能力は低下するので、光ファイバの端部に取り付けられる光コネクタには、光ファイバの先端面を保護する為の端面保護構造が採用されている。
【０００４】
従来の光ファイバの端面保護構造では、コネクタハウジングに収容凹部を形成し、その収容凹部内に、その収容凹部の開口面から光ファイバの先端面が出ない様に光ファイバの端部を収容配設する構造が採用されていた（従来例１）。
【０００５】
また、他の従来の光ファイバの端面保護構造として、上記従来例１の端面保護構造において、更にコネクタハウジングの前記収容凹部の開口面に機械式の開閉扉を設け、その開閉扉を、コネクタ嵌合動作を利用して自動的に開動させ、コネクタ脱離動作を利用して自動的に閉鎖させる構造が採用されていた（従来例２）（特許文献１）。
【０００６】
【特許文献１】特開平６−１１６２８号公報
【発明の開示】
【発明が解決しようとする課題】
【０００７】
上記の従来例１では、コネクタハウジングの正面側から見ると光ファイバの先端面が丸見えなので、光ファイバの先端面を十分に保護できないという欠点があった。
【０００８】
また、上記の従来例２では、機械式の開閉扉を設けるので、部品点数の増加を招き、製造コストが掛かるという欠点があった。
【０００９】
そこで、この発明の課題は、光ファイバの先端面を安価で且つ十分に保護できる光コネクタを提供することにある。
【課題を解決するための手段】
【００１０】
上記課題を解決する為に、請求項１に記載の発明は、光ファイバの端部を突出状態で保持するコネクタハウジングを有する光コネクタであって、前記コネクタハウジングに前記光ファイバの前記端部の先端面を覆う様に傾倒自在に一体的に立設され、その傾倒状態で前記光ファイバの前記先端面を露出する保護部を有するものである。
【００１１】
請求項２に記載の発明は、前記保護部は、前記コネクタハウジングから前記光ファイバの前記端部に沿って立設した支持部の先端部分に、前記光ファイバの前記端部の先端部分における先端面側と前記支持部側と該支持部側に隣接する両側とを覆い、前記支持部側に相対する側を開放する被包部が形成されてなるものである。
【００１２】
請求項３に記載の発明は、前記保護部は、前記光ファイバの前記端部を着脱自在に狭持する狭持部を有するものである。
【００１３】
請求項４に記載の発明は、前記保護部は、前記保護部を傾倒変形し易くする為のくびれ部を有するものである。
【００１４】
請求項５に記載の発明は、前記保護部は、その傾倒状態から弾性復帰により前記光ファイバの前記先端面を覆う様に形成されるものである。
【００１５】
請求項６に記載の発明は、前記コネクタハウジングと着脱自在に嵌合結合する相手側コネクタハウジングを有し、前記保護部の側面に傾倒用突起部が形成されると共に、前記相手側コネクタハウジングに前記傾倒用突起部をガイドするガイド部が形成され、前記コネクタハウジングが前記相手側コネクタハウジングに嵌合されたときに、前記コネクタハウジングの前記傾倒用突起部が前記相手側コネクタハウジングの前記ガイド部に沿って移動し、この移動により前記保護部が傾倒されて前記コネクタハウジングに保持された前記光ファイバの前記先端面が露出されるものである。
【発明の効果】
【００１６】
請求項１に記載の発明によれば、コネクタハウジングに光ファイバの端部の先端面を覆う様に傾倒自在に一体的に立設され、その傾倒状態で前記光ファイバの前記先端面を露出する保護部を有するので、部品点数を増加させないで光ファイバの先端面を保護でき、これにより光ファイバの先端面を安価に且つ十分に保護できる。
【００１７】
請求項２に記載の発明によれば、保護部が、コネクタハウジングから光ファイバの端部に沿って立設した支持部の先端部分に、前記光ファイバの前記端部の先端部分における先端面側と前記支持部側と該支持部側に隣接する両側とを覆い、前記支持部側に相対する側を開放する被包部が形成されてなるので、一体的に形成されるコネクタハウジングと保護部の形成に用いる金型が複雑化することを防止でき、これにより金型に掛かるコストを低減できて、安価に光コネクタを形成できる。
【００１８】
請求項３に記載の発明によれば、保護部は、光ファイバの端部を着脱自在に狭持する狭持部を有するので、保護部が勝手に光ファイバの端部から外れる事を防止できる。
【００１９】
請求項４に記載の発明によれば、保護部は、保護部を傾倒変形し易くする為のくびれ部を有するので、小さい力で容易に保護部を傾倒できる。
【００２０】
請求項５に記載の発明によれば、保護部は、その傾倒状態から弾性復帰により光ファイバの先端面を覆うので、手作業で保護部を光ファイバの先端面に被せる手間が省ける。
【００２１】
請求項６に記載の発明によれば、保護部の側面に傾倒用突起部が形成されると共に、相手側コネクタハウジングに前記傾倒用突起部をガイドするガイド部が形成され、コネクタハウジングが相手側コネクタハウジングに嵌合されたときに、コネクタハウジングの前記傾倒用突起部が相手側コネクタハウジングの前記ガイド部に沿って移動し、この移動により前記保護部が傾倒されてコネクタハウジングに保持された光ファイバの先端面が露出されるので、コネクタ嵌合動作を利用して自動的に保護部を傾倒させて光ファイバの先端面を露出できる。
【発明を実施するための最良の形態】
【００２２】
この実施の形態に係る光コネクタは、図１および図３の様に、光プラグコネクタ３と、光プラグコネクタ３と着脱自在に嵌合結合するリセプタクルコネクタ（基板側コネクタ）５とから構成される。
【００２３】
光プラグコネクタ３は、図１の様に、光ファイバ３１と、光ファイバ３１の端部に配設されたフェルール３２と、フェルール３２を介して光ファイバ３１の端部を突出状態で保持するコネクタハウジング３３と、フェルール３２をコネクタハウジング３３に固定する為のハウジング部品３４とを備える。
【００２４】
光ファイバ３１は、プラスチック製やガラス製の周知のものであり、コアとコアの周囲を被覆するクラッドとからなる光ファイバ素線３１ａを有し、その光ファイバ素線３１ａの周囲に被覆部３１ｂが被覆されて構成されている。光ファイバ３１の端部は、フェルール３２を配設すべく、被覆部３１ｂが除去されて光ファイバ素線３１ａが露出された状態に加工されている。
【００２５】
フェルール３２は、光ファイバ３１の被覆部３１ｂの外径と略同寸法の内径を有する大径円筒部３２ａを有し、その大径円筒部３２ａの一端開口側に光ファイバ３１の光ファイバ素線３１ａの外径と略同寸法の内径を有する小径円筒部３２ｂが連通状に連設されると共に、その大径円筒部３２ａの外周面にフランジ部３２ｃが周設されてなる。このフェルール３２は、その大径円筒部３２ａ内に光ファイバ３１の被覆部３１ｂの端部を収容固定すると共に、その小径円筒部３２ｂ内に光ファイバ３１の端部から露出された光ファイバ素線３１ａを収容固定する様にして、光ファイバ３１の端部に配設される。この配設状態では、光ファイバ３１の光ファイバ素線３１ａの先端面３１ｃは、フェルール３２の小径円筒部３２ｂの一端開口から若干突出した状態で露出する。
【００２６】
コネクタハウジング３３は、例えばナイロン系の部材により、例えば立方体状のブロック体状に形成される。そして、コネクタハウジング３３の後面３３ａには、コネクタハウジング３３の前面３３ｂに貫通する様に、フェルール３２を貫通状に収容する収容部３３ｃが形成されている。
【００２７】
この収容部３３ｃは、コネクタハウジング３３の後面３３ａに、フェルール３２のフランジ部３２ｃの外形より若干大きい寸法の内径を有する内面円柱形の大径収容部３３ｄが形成され、その大径収容部３３ｄの奥面３３ｆに、コネクタハウジング３３の前面３３ｂに貫通する様に、フェルール３２の大径円筒部３２ａの外径と略同寸法の内径を有する内面円柱形の小径収容部３３ｅが形成されてなる。この収容部３３ｃ内には、その大径収容部３３ｄ内にフェルール３２の大径円筒部３２ａの後半部分（フェルール３２のフランジ部３２ｃより後側の部分）が収容され、その小径収容部３３ｅ内にフェルール３２の大径円筒部３２ａの前半部分（フェルール３２のフランジ部３２ｃより前側の部分）が収容される様にして、フェルール３２が収容配置される。そして、この状態で更に、大径収容部３３ｄ内に、外径が大径収容部３３ｄの内径と略同寸法で内径がフェルール３２の大径円筒部３２ａの外径より若干大きい寸法の円筒形のハウジング部品３４が、フェルール３２の大径円筒部３２ａの後半部分に還装された状態で大径収容部３３ｄの内面に固定される様にして収容固定される。この収容状態では、フェルール３２は、その小径円筒部３２ｂがコネクタハウジング３３の前面３３ｂから突出した状態で、且つそのフランジ部３２ｃがコネクタハウジング３３の大径収容部３３ｄの奥面３３ｆとハウジング部品３４との間で狭持固定されて、コネクタハウジング３３の収容部３３ｃ内に保持される。
【００２８】
また、コネクタハウジング３３の前面３３ｂには、小径収容部３３ｅの開口周縁に、コネクタハウジング３３の前面３３ｂから突出したフェルール３２の小径円筒部３２ｂの一端開口から露出された光ファイバ素線３１ａの先端面３１ｃを覆う為の保護部３３ｇが傾倒自在に一体的に立設されている。
【００２９】
この保護部３３ｇは、コネクタハウジング３３の前面３３ｂからフェルール３２の小径円筒部３２ｂに沿って立設した支持部３３ｈの先端部分に、小径円筒部３２ｂ内に収容された光ファイバ素線３１ａの先端部分における先端面３１ｃ側と支持部３３ｈ側と該支持部３３ｈ側に隣接する両側とを覆い、支持部３３ｈ側に相対する側を開放する被包部３３ｉが形成されてなる。被包部３３ｉの両側部分（狭持部）３３ｊは、図２の様に、フェルール３２の小径円筒部３２ｂを着脱自在に包持状に狭持できる様に、フェルール３２の表面に沿って湾曲され、それらの先端部分３３ｊの間隔ｄ１がフェルール３２の小径円筒部３２ｂの外径よりも若干小さく狭められている。また、被包部３３ｉの両側部分３３ｊの外面には、リセプタクルコネクタ５の後述のガイド部５１ｇにガイドされる傾倒用突起部３３ｋが形成されている。また、支持部３３ｈには、例えばその基端部分に保護部３３ｇを傾倒変形し易くする為のくびれ部３３ｍが形成されている。
【００３０】
この保護部３３ｇは、その直立状態では、その被包部３３ｉがフェルール３２の小径円筒部３２ｂの先端部分を狭持状に被包して小径円筒部３２ｂの一端開口から露出する光ファイバ素線３１ａの先端面３１ｃを保護し、他方、その傾倒状態では、その支持部３３ｈのくびれ部３３ｍで屈曲状に傾倒してその被包部３３ｉが小径円筒部３２ｂから脱離して光ファイバ素線３１ａの先端面３１ｃを露出する。
【００３１】
また、コネクタハウジング３３の上面の後縁には、前方に延びるロックアーム部３３ｎが形成されている。このロックアーム部３３ｎは、その基端部分がコネクタハウジング３３の上面に立設され、その基端部分から前方に延びる様に屈曲され、その先端部分にリセプタクルコネクタ５の後述の係止孔５１ｎに係合する係止突起３３ｐが形成されてなる。
【００３２】
また、コネクタハウジング３３の上面の後縁には、リセプタクルコネクタ５の後述のコネクタハウジング５１の嵌合位置を規制するストッパー部３３ｑが形成されている。ここでは、このストッパー部３３ｑは、ロックアーム部３３ｎの屈曲部分にてロックアーム部３３ｎの上面から上方に突出する突起部として形成されている。
【００３３】
また、コネクタハウジング３３の前面３３ｂの下縁には、コネクタハウジング３３の下面３３ｒをリセプタクルコネクタ５の後述のコネクタハウジング５１内にガイドする為の突出ガイド部３３ｓが突出形成されている。この突出ガイド部３３ｓは、その下面３３ｔがコネクタハウジング３３の下面３３ｒと平坦となる様に形成されている。
【００３４】
リセプタクルコネクタ５は、光プラグコネクタ３の光ファイバ３１と光結合する光素子（図示省略）と、前記光素子を収容配設すると共に光プラグコネクタ３のコネクタハウジング３３と着脱自在に嵌合するコネクタハウジング（相手側コネクタハウジング）５１とを備える。
【００３５】
コネクタハウジング５１は、例えばナイロン系の部材により前面開放の矩形形状の箱状に形成されており、図３の様に、その前面５１ａに、その開放前面を挿入口（開口面）とする、光プラグコネクタ３のコネクタハウジング３３が嵌挿される収容凹部５１ｂが形成されている。
【００３６】
また、コネクタハウジング５１の収容凹部５１ｂの奥壁部分には、例えばコネクタハウジング５１の下面５１ｃから凹設される様にして、前記光素子を収容する光素子収容部５１ｄが形成されている。この光素子収容部５１ｄの前面壁部分には、収容凹部５１ｂ側に突出すると共に光素子収容部５１ｄ内に連通する様に、光プラグコネクタ３のフェルール３２の小径円筒部３２ｂの外径と略同寸法の内径を有すると共に小径円筒部３２ｂの筒長と略同寸法の筒孔長を有する円筒形のスリーブ部５１ｅが突出形成されている。
【００３７】
また、コネクタハウジング５１の収容凹部５１ｂの両側の内側面５１ｆには、光プラグコネクタ３の保護部３３ｇに形成された傾倒用突起部３３ｋを漸次上方にガイドするガイド部５１ｇが形成されている。このガイド部５１ｇは、収容凹部５１ｂの内側面５１ｆにおいて、収容凹部５１ｂの開口面５１ａ側で開放され、収容凹部５１ｂの開口面５１ａ側から奥側に向かってテーパ状に狭まった凹状溝部として形成されている。このガイド部５１ｇの下辺側内側面５１ｐは、その開口面５１ａ側の端部５１ｈがスリーブ部５１ｅの高さと略同じ高さに位置され、その奥側の端部５１ｉがスリーブ部５１ｅの高さより或る程度高い高さに位置され、且つその開口面５１ａ側の端部５１ｈからその奥側の端部５１ｉに向かって例えば直線的に上昇する様に形成されている。他方、このガイド部５１ｇの上辺側内側面５１ｊは、収容凹部５１ｂの開口面５１ａ側から奥側に向かって収容凹部５１ｂの底面５１ｋに平行となる様に形成されている。このガイド部５１ｇでは、その下辺側内側面５１ｐにより光プラグコネクタ３の保護部３３ｇに形成された傾倒用突起部３３ｋを漸次上方にガイドする様になっている。
【００３８】
また、コネクタハウジング５１の上壁部分５１ｍには、光プラグコネクタ３のロックアーム部３３ｎの係止突起３３ｐが係合する係止孔５１ｎが形成されている。
【００３９】
次に、図３を用いて光プラグコネクタ３のリセプタクルコネクタ５への嵌合結合のさせ方を説明する。尚、光プラグコネクタ３とリセプタクルコネクタ５の分離状態では、光プラグコネクタ３の小径円筒部３２ｂの一端開口から露出する光ファイバ素線３１ａの先端面３１ｃは、保護部３３ｇにより保護された状態（保護部３３ｇが小径円筒部３２ｂに沿って直立した状態）にあるものとする。
【００４０】
まず、光プラグコネクタ３のコネクタハウジング３３の突出ガイド部３３ｓの先端部分をリセプタクルコネクタ５の収容凹部５１ｂの底面５１ｋの開口面５１ａ側の縁部に引っ掛けて、そのまま、光プラグコネクタ３のコネクタハウジング３３をリセプタクルコネクタ５の収容凹部５１ｂの底面５１ｋ上を摺動させて収容凹部５１ｂの奥まで嵌挿する。
【００４１】
すると、この嵌挿に伴って、光プラグコネクタ３の保護部３３ｇに形成された傾倒用突起部３３ｋがリセプタクルコネクタ５のガイド部５１ｇの下辺側内側面５１ｐに沿って漸次上方に移動され、この移動により保護部３３ｇが自動的に漸次上方に傾倒され、この傾倒により光プラグコネクタ３の小径円筒部３２ｂの一端開口から露出する光ファイバ素線３１ａの先端面３１ｃが露出され、その露出状態のまま、光プラグコネクタ３の小径円筒部３２ｂがリセプタクルコネクタ５のスリーブ部５１ｅ内に嵌挿される。そして、光プラグコネクタ３のコネクタハウジング３３がリセプタクルコネクタ５の収容凹部５１ｂの奥まで嵌挿されると、図４の様に、光プラグコネクタ３の小径円筒部３２ｂの全体がリセプタクルコネクタ５のスリーブ部５１ｅ内に嵌挿され、この嵌挿により小径円筒部３２ｂの一端開口から露出する光ファイバ素線３１ａの先端面３１ｃとレセプタクルコネクの光素子収容部５１ｄ内に収容配設された前記光素子（図示省略）とが光結合される。
【００４２】
また、これに併行して、光プラグコネクタ３のロックアーム部３３ｎの先端部分がリセプタクルコネクタ５の収容凹部５１ｂの上壁部分５１ｍの下側に弾性復帰的に潜り込んで行き、光プラグコネクタ３のコネクタハウジング３３がリセプタクルコネクタ５の収容凹部５１ｂの奥まで嵌挿されると、ロックアーム部３３ｎの係止突起３３ｐがリセプタクルコネクタ５の上壁部分５１ｍの係止孔５１ｎに係合し、この係合により光プラグコネクタ３とレセプタクルコネク５とが抜け防止状に嵌合結合する。この様にして光プラグコネクタ３をリセプタクルコネクタ５に嵌合させる。
【００４３】
そして、この嵌合状態から光プラグコネクタ３とリセプタクルコネクタ５とを分離させるには、リセプタクルコネクタ５の係止孔５１ｎに係合しているロックアーム部３３ｎの係止突起３３ｐを上方側から係止孔５１ｎ内に押し込みながら光プラグコネクタ３を後方側に引っ張る。すると、ロックアーム部３３ｎの係止突起３３ｐが係止孔５１ｎから外れ、光プラグコネクタ３とリセプタクルコネクタ５が分離する。そして、手作業で光プラグコネクタ３の保護部３３ｇを小径円筒部３２ｂに沿って直立させて、保護部３３ｇの被包部３３ｉを小径円筒部３２ｂの先端部分に狭持状に被包させて、小径円筒部３２ｂの一端開口から露出する光ファイバ素線３１ａを保護部３３ｇで保護する。
【００４４】
以上の様に構成された光コネクタによれば、コネクタハウジング３３に光ファイバ３１の端部の先端面３１ｃを覆う様に傾倒自在に一体的に立設され、その傾倒状態で光ファイバ３１の先端面３１ｃを露出する保護部３３ｇを有するので、部品点数を増加させないで光ファイバ３１の先端面３１ｃを保護でき、これにより光ファイバ３１の先端面３１ｃを安価に且つ十分に保護できる。
【００４５】
また、保護部３３ｇが、コネクタハウジング３３から光ファイバ３１の端部に沿って立設した支持部３３ｈの先端部分に、光ファイバ３１の前記端部の先端部分における先端面３１ｃ側と前記支持部３３ｈ側と該支持部３３ｈ側に隣接する両側とを覆い、支持部３３ｈ側に相対する側を開放する被包部３３ｉが形成されてなるので、一体的に形成されるコネクタハウジング３３と保護部３３ｇの形成に用いる金型が複雑化することを防止でき、これにより金型に掛かるコストを低減できて、安価に光コネクタを形成できる。
【００４６】
また、保護部３３ｇは、光ファイバ３１の端部を着脱自在に狭持する狭持部３３ｊを有するので、保護部３３ｇが勝手に光ファイバ３１の端部から外れる事を防止できる。
【００４７】
また、保護部３３ｇは、保護部３３ｇを傾倒変形し易くする為のくびれ部３３ｍを有するので、小さい力で容易に保護部３３ｇを傾倒できる。
【００４８】
また、保護部３３ｇの側面に傾倒用突起部３３ｋが形成されると共に、相手側コネクタハウジング５１に傾倒用突起部３３ｋをガイドするガイド部５１ｇが形成され、コネクタハウジング３３が相手側コネクタハウジング５１に嵌合されたときに、コネクタハウジング３３の傾倒用突起部３３ｋが相手側コネクタハウジング５１のガイド部５１ｇに沿って移動し、この移動により保護部３３ｇが傾倒されてコネクタハウジング３３に保持された光ファイバ３１の先端面３１ｃが露出されるので、コネクタ嵌合動作を利用して自動的に保護部３３ｇを傾倒させて光ファイバ３１の先端面３１ｃを露出できる。
【００４９】
また、ガイド部５１ｇの上辺側内側面５１ｊが、コネクタハウジング５１の収容凹部５１ｂの開口面５１ａ側から奥側に向かって収容凹部５１ｂの底面５１ｋに平行となる様に形成されるので、コネクタハウジング５１の形成に用いる金型が複雑化することを防止でき、これにより金型に掛かるコストを低減できて、安価に光コネクタを形成できる。
【００５０】
尚、この実施の形態では、ガイド部５１ｇの下辺側内側面５１ｐを直線的に上昇する様に形成したが、図５の様に略Ｓ字曲線的に上昇する様に形成してもよく、または図６の様に２次曲線的に上昇する様に形成してもよい。
【００５１】
尚、この実施の形態では、手作業で保護部３３ｇを小径円筒部３２ｂに沿って直立させたが、保護部３３ｇのくびれ部３３ｍを無くして保護部３３ｇの弾性復帰を利用して保護部３３ｇを小径円筒部３２ｂに沿って直立させる様にしてもよい。この様にすれば、保護部３３ｇは、その傾倒状態から弾性復帰により自動的にファイバ３１の先端面３１ｃを覆うので、手作業で保護部３３ｇを光ファイバ３１の先端面３１ｃに被せる手間が省ける。尚、この様にした場合、保護部３３ｇの弾性復帰により保護部３３ｇの被包部３３ｉが小径円筒部３２ｂの先端部分を被包し易くする為に、被包部３３ｉの両側部分を小径円筒部３２ｂに沿って湾曲させずに平坦にしてもよい（被包部３３ｉの両側部分の狭持機能を無くしてもよい）。
【図面の簡単な説明】
【００５２】
【図１】本発明の実施の形態に係る光コネクタを構成する光プラグコネクタの断面図である。
【図２】図１のII−II断面図である。
【図３】本発明の実施の形態に係る光コネクタを構成するリセプタクルコネクタの断面図である。
【図４】本発明の実施の形態に係る光コネクタを構成する光プラグコネクタとリセプタクルコネクタの嵌合結合状態の断面図である。
【図５】リセプタクルコネクタに形成されるガイド部の変形例を示す図である。
【図６】リセプタクルコネクタに形成されるガイド部の他の変形例を示す図である。
【符号の説明】
【００５３】
３  光プラグコネクタ
５  リセプタクルコネクタ
３１  光ファイバ
３１ａ  光ファイバ素線
３１ｃ  光ファイバ素線の先端面
３２  フェルール
３２ａ  大径円筒部
３２ｂ  小径円筒部
３３  コネクタハウジング
３３ｃ  収容部
３３ｇ  保護部
３３ｈ  支持部
３３ｉ  被包部
３３ｊ  被包部の両側部分（狭持部）
３３ｋ  傾倒用突起部
３３ｍ  くびれ部
５１  コネクタハウジング
５１ｂ  収容凹部
５１ｆ  収容凹部の内側面
５１ｇ  下辺側内側面
【図１】
2006098876.tif 000003
【図２】
2006098876.tif 000004
【図３】
2006098876.tif 000005
【図４】
2006098876.tif 000006
【図５】
2006098876.tif 000007
【図６】
2006098876.tif 000008